(57)【要約】【課題】建築用電動シャッターにおいて、シャッターカーテン１の開閉に異常があった場合に、ポテンショメータ７に異常があることによるものか、他の要因によるものかの判断ができるようにする。【解決手段】シャッターカーテン１の開閉位置に対応してポテンショメータ７の位置情報とホールＩＣ８の回転量情報とを予め関連付け、通常のシャッターカーテン１の開閉作動中において取得した位置情報と回転量情報とのあいだのズレが、前記関連付けられた情報に対して閾値内の異常であればポテンショメータ８に異常はなく他の要因による異常であり、閾値を超えた異常である時にはポテンショメータ７に異常があると判断して報知するように制御する。【選択図】図５
2015143437.tif 000002
【特許請求の範囲】
【請求項１】
開閉機の正逆駆動に基づく巻取りドラムの回転でシャッターカーテンの開閉作動をするように構成した建築用電動シャッター装置において、シャッターカーテンの全開、全閉位置を位置検知センサで検知したことに伴う制御部からの制御指令で開閉機の停止をするように構成するにあたり、制御部には、前記位置検知センサからの位置情報と開閉機の回転量を検知する回転量検知センサからの回転量情報とを取得する情報取得手段と、該取得した位置情報および回転量情報に基づいてシャッターカーテンの開閉位置に対する情報同士の関連付けをする情報関連付け手段と、開閉機の通常の開閉作動中に取得した位置情報および回転量情報のズレが、前記関連付けした情報に対して予め定められた閾値を超えていると判断された場合に、位置検知センサに異常があると判断する位置検知センサ異常判断手段とが設けられていることを特徴とする建築用電動シャッターにおける位置検知センサの異常判断装置。
【請求項２】
制御部は、前記開閉機の通常開閉作動中に取得した位置情報と回転量情報とのズレが、関連付けられた情報に対して閾値を超えていると判断された場合に異常確認モードに切換えられるものとし、該異常確認モードでは、次回の開閉機の開閉作動において少なくとも位置情報を取得して回転数情報との関連付けをし、再度の開閉機の開閉作動において取得した位置情報と回転数情報とのズレが異常確認モードで関連付けられた情報に対して閾値を超えている場合に位置検知センサに異常があると判断するようにしたことを特徴とする請求項１記載の建築用電動シャッターにおける位置検知センサの異常判断装置。
【請求項３】
制御部は、前記再度の開閉機の開閉作動において取得した位置情報と回転数情報とのズレが、前回の開閉機の開閉作動で取得した位置情報と回転数情報とを関連付けした情報に対して閾値内である場合には、該関連した情報を以降の関連情報として修正することを特徴とする請求項２記載の建築用電動シャッターにおける位置検知センサの異常判断装置。
【請求項４】
制御部は、位置検知センサの全開または全閉位置の位置情報が変化した場合に、該変化が位置検知センサの検知範囲内の変化である場合には該変化した位置を全開または全閉位置と修正し、検知範囲外の変化である場合には検知範囲端を全開または全閉位置と修正することを特徴とする請求項３記載の建築用電動シャッターにおける位置検知センサの異常判断装置。
【発明の詳細な説明】
【技術分野】
【０００１】
本発明は、建築物の出入り口等の開口部に建て付けられる建築用電動シャッターにおける位置検知センサの異常判断装置の技術分野に関するものである。
【背景技術】
【０００２】
一般に、この種の建築用の電動シャッターにおいては、開閉機の正逆駆動に基づいてシャッターカーテンの上下開閉作動を行うことになるが、開閉機の回転量をシャッターカーテンの開閉位置として関連付けて検知し、シャッターカーテンが全開位置、全閉位置に到達したことの検知に基づいて開閉機の停止制御をするため位置検知センサ（例えばポテンショメータ、アブソリュート形ロータリエンコーダ等）が設けられたものがある（例えば特許文献１）が、該位置検知センサは、機械的な構造も多くあって故障しやすく、また分離能力が低いという問題がある。
これに対しシャッターカーテンの全閉、全開の検知を、開閉機の回転量検知センサ（例えばホールＩＣ、インクリメンタル形ロータリエンコーダ等）を用いて相対的に行うことが試みられている（例えば特許文献２）。この場合にホールＩＣは回転磁石が発生する磁界の変化をホール素子で検知するようにしたものであり、より精度の高い位置検知ができると共に故障も少ないという利点がある。
【先行技術文献】
【特許文献】
【０００３】
【特許文献１】特許第４８２３６７９号公報
【特許文献２】特許第５２６４６１７号公報
【発明の概要】
【発明が解決しようとする課題】
【０００４】
しかしながら前記位置検知センサを用いた場合に、シャッターカーテンが開閉の途中で停止するような異常が発生することがあり、このような異常が位置検知センサに異常があるからなのか他の要因によるものなのかの判別がつかず、このため他の要因による異常であったにもかかわらず位置検知センサを交換してしまうというメンテナンス上の問題がある。
一方、回転量検知センサを用いたものでは、停電になったりブレーカが作動したりして電源供給が断たれた場合、回転量検知センサの初期値が判らなくなって全閉、全開位置での停止ができず、改めて再設定しなければならない、という問題があり、ここに本発明の解決すべき課題がある。
【課題を解決するための手段】
【０００５】
本発明は、上記の如き実情に鑑みこれらの課題を解決することを目的として創作されたものであって、請求項１の発明は、開閉機の正逆駆動に基づく巻取りドラムの回転でシャッターカーテンの開閉作動をするように構成した建築用電動シャッター装置において、シャッターカーテンの全開、全閉位置を位置検知センサで検知したことに伴う制御部からの制御指令で開閉機の停止をするように構成するにあたり、制御部には、前記位置検知センサからの位置情報と開閉機の回転量を検知する回転量検知センサからの回転量情報とを取得する情報取得手段と、該取得した位置情報および回転量情報に基づいてシャッターカーテンの開閉位置に対する情報同士の関連付けをする情報関連付け手段と、開閉機の通常の開閉作動中に取得した位置情報および回転量情報のズレが、前記関連付けした情報に対して予め定められた閾値を超えていると判断された場合に、位置検知センサに異常があると判断する位置検知センサ異常判断手段とが設けられていることを特徴とする建築用電動シャッターにおける位置検知センサの異常判断装置である。
請求項２の発明は、制御部は、前記開閉機の通常開閉作動中に取得した位置情報と回転量情報とのズレが、関連付けられた情報に対して閾値を超えていると判断された場合に異常確認モードに切換えられるものとし、該異常確認モードでは、次回の開閉機の開閉作動において少なくとも位置情報を取得して回転数情報との関連付けをし、再度の開閉機の開閉作動において取得した位置情報と回転数情報とのズレが異常確認モードで関連付けられた情報に対して閾値を超えている場合に位置検知センサに異常があると判断するようにしたことを特徴とする請求項１記載の建築用電動シャッターにおける位置検知センサの異常判断装置である。
請求項３の発明は、制御部は、前記再度の開閉機の開閉作動において取得した位置情報と回転数情報とのズレが、前回の開閉機の開閉作動で取得した位置情報と回転数情報とを関連付けした情報に対して閾値内である場合には、該関連した情報を以降の関連情報として修正することを特徴とする請求項２記載の建築用電動シャッターにおける位置検知センサの異常判断装置である。
請求項４の発明は、制御部は、位置検知センサの全開または全閉位置の位置情報が変化した場合に、該変化が位置検知センサの検知範囲内の変化である場合には該変化した位置を全開または全閉位置と修正し、検知範囲外の変化である場合には検知範囲端を全開または全閉位置と修正することを特徴とする請求項３記載の建築用電動シャッターにおける位置検知センサの異常判断装置である。
【発明の効果】
【０００６】
請求項１の発明とすることにより、開閉異常があった場合の要因が、位置検知センサが異常であることによるものであるか否かの判断が簡単にできることになって、正常な位置検知センサを交換してしまったりすることを防止できてメンテナンス性が向上する。
請求項２の発明とすることにより、通常の開閉作動中に取得した情報間に閾値を超えた位置ズレがあった場合に、直ちに位置検知センサに異常があると判断することなく、異常確認モードとして、次の開閉作動において再度の情報同士の関連付けを行い、更なる開閉作動においてやはり閾値を超えたズレがあった場合に位置検知センサに異常があると判断し、閾値以内のズレであった場合、歯飛び等の別の要因によるものであり、しかもこのように再関連付けすることで異常がなければ、そのまま使用し続けることができることになって、メンテナンス性が向上すると共に、位置検知センサの異常判断がより確実になる。
請求項３の発明とすることにより、関連付けられた位置情報と回転量情報の関係が異常確認モードとして新たに関連付けられた位置情報と回転量情報の関係に自動的に修正されることになってメンテナンス性が向上する。
請求項４の発明とすることにより、位置検知センサの検知位置変化が検知範囲内外に変化したものであっても確実に修正できることになってメンテナンス性が向上する。
【図面の簡単な説明】
【０００７】
【図１】建築用電動シャッターの概略正面図である。
【図２】開閉機とセンサ同士の連結関係を示す要部概略図である。
【図３】制御部と機器部材との連結状態を示すブロック回路図である。
【図４】情報を関連付けるためのリミット設定モードのフローチャート図である。
【図５】通常の開閉モードのフローチャート図である。
【図６】第二の実施の形態の通常の開閉モードを示すフローチャート図である。
【図７】第二の実施の形態の異常確認モードを示すフローチャート図である。
【発明を実施するための形態】
【０００８】
以下、本発明の実施の形態について、図面に基づいて説明する。１は建築用の電動シャッター装置を構成するシャッターカーテンであって、該シャッターカーテン１は、巻取りドラム２に巻装され、電動の開閉機３の正逆駆動によりガイドレール４に案内されて上下昇降移動することで開口部の開閉をするようになっていること等は何れも従来通りである。
【０００９】
５は前記開閉機３の駆動制御をする制御装置であって、該制御装置５はマイクロコンピュータ等の電子、電気部品で構成される制御部６、その他の必要な機器類を用いて構成されるが、制御部６には、シャッターカーテン１の開閉位置を検知するポテンショメータ（位置検知センサ）７と、永久磁石が回転することに伴う磁界の変化を検知することにより開閉機３の回転数をパルス信号のパルス数として認識するホールＩＣ（回転量検知センサ）８が設けられるが、これらポテンショメータ７、ホールＩＣ８は、開閉機３の出力軸３ａに動力伝動機構（本実施の形態ではギア伝動）９を介して連動された入力軸９ａに直列状に連結されている。勿論、制御装置５に並列状に接続することもできる。さらに制御部６には、例えば開閉機３の電流負荷の異常変化を検知することで障害物検知をするようにした障害物検知センサ１０、開放、停止、閉鎖信号を出力する操作スイッチ１１、開放、停止、閉鎖の無線信号を入力する受信機１２からの信号が入力し、必要な制御を行うようになっている。
【００１０】
前記制御部６では、例えば停止と閉鎖の操作スイッチ１１を同時に操作することで通常の開閉モードからリミット設定モードにモード切換えがなされるようになっており、このリミット設定モードに切換えられた状態で、閉鎖用操作スイッチ１１を操作し続けると、開閉機３が閉鎖作動を開始して全開状態にしてあったシャッターカーテン１が下降することになるが、図４に示すように、制御部６では、ポテンショメータ７からの位置情報、ホールＩＣ８からの回転量情報を取得し（Ｓ１）（Ｓ２）、これら取得した位置情報、回転量情報をシャッターカーテン１の開閉位置との関係で関連付けをし（Ｓ３）、これを下降時の関連情報として記憶する。そしてシャッターカーテン１が全閉状態になったら閉鎖用操作スイッチ１１の操作を止めると開閉機３が停止すると共に、このときの位置情報、回転量情報を全閉位置として決定し（Ｓ４）、記憶する。
つぎに開放用操作スイッチ１１を操作し続けると、全閉状態のシャッターカーテン１が上昇し、同じく位置情報、回転量情報の取得および関連付けをし、これを上昇時の関連情報として記憶する。そしてシャッターカーテン１が全開状態になったら開放用操作スイッチ１１の操作を止めると開閉機３が停止すると共に、このときの位置情報、回転量情報を全開位置として決定し、記憶する。
このようにしてリミット設定がなされると、リミット設定モードを終了し、通常の開閉モードに復帰する。
【００１１】
前記通常の開閉モードになった場合に、シャッターカーテン１が全開状態において閉鎖用操作スイッチ１１が操作され、あるいは閉鎖用信号の受信があると、これが自己保持されると共に、開閉機３が閉鎖作動を開始することになり、またシャッターカーテン１が全閉状態において開放用操作スイッチ１１が操作されると、これが自己保持されると共に、開閉機３が開放作動を開始することになり、このような開閉作動中、図５に示すようなポテンショメータ７の異常判断がなされる。このものでは開閉機３の開閉作動中（Ｓ５）、ポテンショメータ７およびホールＩＣ８から位置情報および回転量情報を取得する（Ｓ６、Ｓ７）ことになるが、前記位置情報、回転量情報が取得された場合に、該取得した位置情報、回転量情報が、前記関連付けられた各位置における回転量に予め設定された閾値の範囲を超えたズレがあるか否かが判断（Ｓ８）され、閾値内のズレであるとしてＹＥＳと判断されると、開閉機３は、ポテンショメータ７からの位置情報が全閉または全開位置であるとの情報を入力（Ｓ９）することで開閉機３を停止（Ｓ１０）する。
これに対し、Ｓ８において各位置における回転量に予め設定された閾値の範囲を超えたズレがあるとしてＮＯと判断されると、前記ポテンショメータ７が異常であると判断（Ｓ１１）し、ブザーや灯体（例えばＬＥＤ）等の報知手段１３で異常報知（Ｓ１２）をすると共に、異常履歴を保存（Ｓ１３）し、開閉機３の駆動停止をする（Ｓ１０）ようになっている。
【００１２】
叙述の如く構成された本実施の形態において、制御部６は、通常の開閉モードになっている場合に、開閉機３が開閉作動しているとき、常にポテンショメータ７とホールＩＣ８からの位置情報、回転量情報を取得し、そしてこれら取得した情報に基づいて各シャッターカーテン位置における位置情報と回転量情報とのあいだに予め設定された閾値の範囲を超えたと判断された場合に、ポテンショメータ７が異常であると判断し、これを報知することになる。
この結果、ポテンショメータ７に異常があるか否かの判断が簡単にできることになる。
【００１３】
これに対し、前記開閉機３の開閉作動中において取得した情報に基づいて各位置における回転量に予め設定された閾値の範囲を超えた旨の報知がないにもかかわらずシャッターカーテン１が停止したような場合には、ポテンショメータ７以外に異常があると判断し、対応するメンテナンスを行うことができ、メンテナンス性が向上すると共に、正常なポテンショメータ７を誤って交換する必要がなくなる。
【００１４】
尚、本発明は前記実施の形態に限定されるものでないことは勿論であって、図６、７に示す第二の実施の形態のようにすることもできる。このものは、通常の開閉モードで開閉機３の開閉作動中（Ｓ１４）に、ポテンショメータ７、ホールＩＣ８の情報を取得し（Ｓ１５、Ｓ１６）、取得した情報のズレが関連付けられた情報に対して閾値内か否かの判断がなされる（Ｓ１７）。閾値内であるとしてＹＥＳの判断がなされた場合、ポテンショメータ７の位置情報が全開または全閉かの判断がなされ（Ｓ１８）開閉機３を停止する（Ｓ１９）。
これに対し前記Ｓ１７において取得した情報のズレが関連付けられた情報の閾値を越えているとしてＮＯの判断がなされた場合、異常確認モード（Ｓ２０）へのモード切換えがなされる。
【００１５】
異常確認モードにモード切換えされた場合、図７に示すように、開閉機３の作動が継続され（Ｓ２１）、ホールＩＣ８の回転量が全開または全閉かの判断（Ｓ２２）がなされ、全開または全閉であるとしてＹＥＳと判断された場合、開閉機３を停止し（Ｓ２３）、ポテンショメータ７の位置情報をリセットする（Ｓ２４）。
次いで操作スイッチ１１または受信機１２から開閉機３の駆動指令に基づいて開閉機３が作動した場合（Ｓ２５）に、ポテンショメータ７から位置情報を取得する（Ｓ２６）ことになり、この取得した位置情報と記憶されているホールＩＣ８の回転量情報を関連付け（Ｓ２７）、そしてホールＩＣ８の回転量が全開または全閉かの判断をし（Ｓ２８）、全開または全閉であるとしてＹＥＳと判断された場合に開閉機３を停止する（Ｓ２９）と共に、ポテンショメータ７の全開または全開位置を決定し、これを記憶する（Ｓ３０）。
【００１６】
そしてさらに次に操作スイッチ１１または受信機１２から開閉機３の駆動指令に基づいて開閉機３が作動した場合（Ｓ３１）に、ポテンショメータ７とホールＩＣ８から位置情報および回転数情報を取得した（Ｓ３２、Ｓ３３）ことになり、これら取得した情報から、前記Ｓ２７で関連付けられた各位置における回転量に予め設定された閾値の範囲を超えたずれがあるか否かが判断（Ｓ３４）され、閾値内であるとしてＹＥＳと判断されると、Ｓ１７において閾値を越えたと判断された異常は例えば動力伝動機構９の歯飛び等によるものであって、ポテンショメータ７は正常であると判断して開閉機３は、ポテンショメータ７からの位置情報が全閉または全開位置であるとの情報を入力（Ｓ３５）することで停止（Ｓ３６）し、通常の開閉モードに復帰する。
これに対し、前記Ｓ３４で再度、前記Ｓ２７で関連付けられた各位置における回転量に予め設定された閾値の範囲を超えたずれがあるとしてＮＯと判断された場合に、ポテンショメータ７に異常があると判断し（Ｓ３７）、異常報知をし（Ｓ３８）、異常履歴を保存（Ｓ３９）すると共に、ホールＩＣ８の回転量が全開または全閉かの判断をし（Ｓ４０）、全開または全閉であると判断された場合、開閉機３の駆動停止をする（Ｓ４１）。
【００１７】
このように実施された第二の実施の形態のものは、ポテンショメータ７の位置情報とホールＩＣの回転量情報のズレが、予め関連付けられたものに対して閾値の範囲内であるか否かの判断をし、閾値を越えた場合にポテンショメータ７が異常であると判断するものであるが、通常の開閉モードにおいて発生した異常（閾値を越えたズレ判定）の場合、ポテンショメータ７の異常であるのか、動力伝動機構９の歯飛び等による他の要因による異常なのかの判別がつかず、そこで異常確認モードにモード切換えをし、この異常確認モードにおいて、ポテンショメータの位置情報をリセットし、そして次の開閉機３の開閉作動においてポテンショメータ７の位置情報を新たに取得し、この取得した位置情報を既登録のホール素子８の回転量情報に関連付け、そして再度の開閉機３による開閉作動において取得したポテンショメータ３の位置情報とホールＩＣ８の回転量情報のズレが、異常確認モードにおいて改めて関連付けられた位置情報と回転量情報の閾値を越えているか否かの判断がなされ、越えていると判断されている場合にはポテンショメータ７が異常であるとするものであり、このようにすることで、ポテンショメータ７の異常判断を、より確実にできることになると共に、歯飛び等があって関連付けられた情報にズレが生じて閾値を越えたような場合に、そのデータ修正（補正）が自動的にできることになってメンテナンス性が向上する。
【００１８】
因みに、前記第二の実施の形態では、異常確認モードにおいて、ホールＩＣの回転量情報は保存したまま（リセットしない）でポテンショメータ７の異常確認をするようにしたが、この場合、ホールＩＣ８の回転量情報に基づいてシャッターカーテン１は全開または全閉状態になって停止しているから、ホールＩＣの回転量情報についてもリセットし、改めてポテンショメータ７とホールＩＣ８の位置情報と回転量情報とを取得して関連付けるようにしてもポテンショメータ７の異常確認をすることができ（第三の実施の形態）、このようにして実施してもよいことは勿論である。
また、前述したように取得した位置情報と回転数情報とのあいだに予め設定され閾値を超えてズレが発生する場合に、これには歯飛びや悪戯等により位置検知センサ（ポテンショメータ）自体の検知位置にズレが発生する場合があり、このような位置ズレとしては、位置検知センサの検知範囲内のズレと検知範囲を超えたズレとがあり、前記第二、第三の実施の形態のものでは、位置検知センサの検知範囲内のズレであった場合に、位置検知センサの位置情報はこのズレた位置からの位置情報となるが、検知範囲を超えたズレである場合、位置検知センサは検知範囲を超えた分については空転することになって位置情報は検知範囲端となり、この結果、異常確認モードで取得する位置情報は位置検知端から始まることになり、何れにしても本発明を実施することができる。
因みに、位置検知センサとしてアブソリュート形ロータリエンコーダを採用した場合、該アブソリュート型ロータリエンコーダの位置情報は凡そのものとなり、このため該位置情報をホールＩＣ等による回転量検知センサの回転量情報で補完するようにして検知精度を高めるようにすることもできる。
【産業上の利用可能性】
【００１９】
本発明は、建築物の出入り口等の開口部に建て付けられる建築用電動シャッターにおける位置検知センサの異常判断装置の分野に利用することができる。
【符号の説明】
【００２０】
１  シャッターカーテン
２  巻取りドラム
３  開閉機
６  制御部
７  ポテンショメータ
８  ホールＩＣ
【図１】
2015143437.tif 000003
【図２】
2015143437.tif 000004
【図３】
2015143437.tif 000005
【図４】
2015143437.tif 000006
【図５】
2015143437.tif 000007
【図６】
2015143437.tif 000008
【図７】
2015143437.tif 000009